(57)【要約】【課題】フィードローラの下流側に配置されるローラ対にて記録用紙が狭持されて搬送されている際にフィードローラとリタードローラとを離間させることができると共に揺動アームの揺動回数を低減させる。【解決手段】一端部にピックアップローラ６ａが設置され、他端部にフィードローラ６ｂが設置されると共に、ピックアップローラ６ａを中心として揺動可能な揺動アーム６ｄと、フィードローラ６ｂの下流側に配置されるローラ対にて記録用紙Ｙを搬送する場合に、フィードローラ６ｂとリタードローラ６ｃとが離間するように揺動アーム６ｄを姿勢設定し、ローラ対にて記録用紙Ｙが搬送されていない場合に、フィードローラ６ｂとリタードローラ６ｃとが近接するように揺動アーム６ｄを姿勢設定する姿勢設定手段６ｅとを備える。【選択図】図４
2009173384.tif 000002
【特許請求の範囲】
【請求項１】
記録用紙に対して画像を形成する印刷部と、記録用紙束から一枚の記録用紙をピックアップして前記印刷部に供給する給紙部とを備える画像形成装置であって、
前記給紙部は、
前記記録用紙束の最上部の前記記録用紙をピックアップするピックアップローラと、
ピックアップされた前記記録用紙を挟持して搬送可能なリタードローラ及びフィードローラと、
一端部に前記ピックアップローラが設置され、他端部に前記フィードローラが設置されると共に、前記ピックアップローラを中心として揺動可能な揺動アームと、
前記フィードローラの下流側に配置されるローラ対にて前記記録用紙を搬送する場合に、前記フィードローラと前記リタードローラとが離間するように前記揺動アームを姿勢設定し、前記ローラ対にて前記記録用紙が搬送されていない場合に、前記フィードローラと前記リタードローラとが近接するように前記揺動アームを姿勢設定する姿勢設定手段と
を備える
ことを特徴とする画像形成装置。
【請求項２】
前記姿勢設定手段は、前記記録用紙が前記ローラ対にて搬送されていない場合に前記フィードローラと前記リタードローラとが近接するように前記揺動アームを付勢すると共に、前記記録用紙が前記ローラ対にて搬送されている場合に前記記録用紙に作用するテンションにより縮む圧縮バネであることを特徴とする請求項１記載の画像形成装置。
【請求項３】
前記姿勢設定手段は、前記記録用紙が前記ローラ対にて搬送されていない場合に前記フィードローラと前記リタードローラとが近接するように前記揺動アームを移動すると共に、前記記録用紙が前記ローラ対にて搬送されている場合に前記フィードローラと前記リタードローラとが離間するように揺動アームを移動するアクチュエータであることを特徴とする請求項１記載の画像形成装置。
【請求項４】
前記フィードローラは、前記リタードローラから離間される場合に、前記記録用紙を案内する案内ローラとなることを特徴とする請求項１〜３いずれかに記載の画像形成装置。
【発明の詳細な説明】
【技術分野】
【０００１】
本発明は、記録用紙に対して画像を形成する印刷部と、記録用紙束から一枚の記録用紙をピックアップして上記印刷部に供給する給紙部とを備える画像形成装置に関するものである。
【背景技術】
【０００２】
画像形成装置においては、用紙カセットに積層された記録用紙束から一枚の記録用紙をピックアップして印刷部に搬送し、この印刷部に搬送された記録用紙に対して画像の形成を行っている。
このような画像形成装置においては、印刷部に複数の記録用紙が供給された場合には、記録用紙に対して好適な画像形成を行うことができなくなるため、確実に一枚の記録用紙のみを印刷部に搬送する必要がある。
【０００３】
例えば、特許文献１及び２には、用紙カセットに載置された記録用紙束から確実に一枚の記録用紙のみを搬送するための機構が開示されている。
具体的には、記録用紙束から記録用紙をピックアップローラするピックアップローラと、ピックアップローラにてピックアップされた記録用紙を下流側に搬送するフィードローラと、記録用紙の搬送方向と逆方向に回転されるリタードローラとを備え、フィードローラとリタードローラとによって形成されたニップ部に記録用紙を通過させることによって、確実に記録用紙が一枚となるように構成されている。
【特許文献１】実開平２−５５６３６号公報
【特許文献２】特開２００２−１４５４７３号公報
【発明の開示】
【発明が解決しようとする課題】
【０００４】
ところで、特許文献１に記載されているように、フィードローラとリタードローラとの間に記録用紙が狭持されている場合には、リタードローラの回転によって記録用紙に対して負荷が加わることとなり、印刷不良が生じる場合がある。このため、特許文献１に記載されているように、フィードローラの下流に設置されたレジストローラ（ローラ対）に記録用紙が狭持されて搬送されている際には、フィードローラとリタードローラとを離間させることが好ましい。
【０００５】
一方、特許文献２に示されているような、中央を中心として揺動可能な揺動アームの各端部に対してピックアップローラとフィードローラとが設置された画像形成装置においては、ピックアップローラ及びフィードローラのいずれかのみしか記録用紙と接触することができない。このため、特許文献１に示されるように、レジストローラに記録用紙が狭持されて搬送されている際において、フィードローラとリタードローラとを離間させるためには、先にピックアップローラを記録用紙束に接触させて記録用紙をピックアップし、その後フィードローラを記録用紙に接触させて記録用紙を一枚に分離し、さらにフィードローラとリタードローラとを離間させるためにピックアップローラを記録用紙に接触させる必要がある。このため、何度も揺動アームを揺動させる必要が生じ、制御的が複雑になると共に装置の耐久性が低下する。
【０００６】
本発明は、上述する問題点に鑑みてなされたもので、フィードローラの下流側に配置されるローラ対にて記録用紙が狭持されて搬送されている際にフィードローラとリタードローラとを離間させることができると共に揺動アームの揺動回数を低減させることを目的とする。
【課題を解決するための手段】
【０００７】
上記目的を達成するために、本発明は、記録用紙に対して画像を形成する印刷部と、記録用紙束から一枚の記録用紙をピックアップして上記印刷部に供給する給紙部とを備える画像形成装置であって、上記給紙部が、上記記録用紙束の最上部の上記記録用紙をピックアップするピックアップローラと、ピックアップされた上記記録用紙を挟持して搬送可能なリタードローラ及びフィードローラと、一端部に上記ピックアップローラが設置され、他端部に上記フィードローラが設置されると共に、上記ピックアップローラを中心として揺動可能な揺動アームと、上記フィードローラの下流側に配置されるローラ対にて上記記録用紙を搬送する場合に、上記フィードローラと上記リタードローラとが離間するように上記揺動アームを姿勢設定し、上記ローラ対にて上記記録用紙が搬送されていない場合に、上記フィードローラと上記リタードローラとが近接するように上記揺動アームを姿勢設定する姿勢設定手段とを備えることを特徴とする。
【０００８】
また、本発明においては、上記姿勢設定手段は、上記記録用紙が上記ローラ対にて搬送されていない場合に上記フィードローラと上記リタードローラとが近接するように上記揺動アームを付勢すると共に、上記記録用紙が上記ローラ対にて搬送されている場合に上記記録用紙に作用するテンションにより縮む圧縮バネであるという構成を採用する。
【０００９】
また、本発明においては、上記姿勢設定手段は、上記記録用紙が上記ローラ対にて搬送されていない場合に上記フィードローラと上記リタードローラとが近接するように上記揺動アームを移動すると共に、上記記録用紙が上記ローラ対にて搬送されている場合に上記フィードローラと上記リタードローラとが離間するように揺動アームを移動するアクチュエータであるという構成を採用する。
【００１０】
また、本発明においては、上記フィードローラは、上記リタードローラから離間される場合に、上記記録用紙を案内する案内ローラとなるという構成を採用する。
【発明の効果】
【００１１】
本発明によれば、一端部にピックアップローラが設置され、他端部にフィードローラが設置されると共にピックアップローラを中心として揺動可能とされた揺動アームが、姿勢設定手段により、フィードローラの下流側に配置されるローラ対にて記録用紙を搬送する場合に、フィードローラとリタードローラとが離間するように揺動アームが姿勢設定され、ローラ対にて記録用紙が搬送されていない場合に、フィードローラとリタードローラとが近接するように揺動アームが姿勢設定される。
つまり、フィードローラの下流側に配置されるローラ対にて記録用紙を搬送する場合には、ピックアップローラが記録用紙束と接触された状態を維持しながらフィードローラとリタードローラとが離間される。また、ローラ対にて記録用紙が搬送されていない場合には、ピックアップローラが記録用紙と接触された状態を維持しながらフィードローラとリタードローラとが近接される。
【００１２】
このような本発明によれば、フィードローラの下流側に配置されるローラ対にて記録用紙を搬送する場合には、ピックアップされた記録用紙に対する負荷を低減させることができると共に記録用紙束を抑えて複数の記録用紙が下流側に搬送されることを防止することができる。また、ローラ対にて記録用紙を搬送していない場合には、フィードローラとリタードローラとによって記録用紙を挟持することによって記録用紙を搬送することができる。
そして、本発明においては、ピックアップローラを中心として揺動アームが揺動するため、ローラ対にて記録用紙を搬送している場合、ローラ対にて記録用紙を搬送していない場合の両方において、ピックアップローラが記録用紙束と接触した状態が保たれる。つまり、従来のように、フィードローラとリタードローラとを離間させるためにピックアップローラを記録用紙束に接触させる必要がなくなる。よって、揺動アームの揺動回数を低減させることができる。
【００１３】
このように本発明によれば、フィードローラの下流側に配置されるローラ対にて記録用紙が狭持されて搬送されている際にフィードローラとリタードローラとを離間させることができると共に揺動アームの揺動回数を低減させることが可能となる。
【発明を実施するための最良の形態】
【００１４】
以下、図面を参照して、本発明に係る画像形成装置の一実施形態について説明する。なお、以下の図面において、各部材を認識可能な大きさとするために、各部材の縮尺を適宜変更している。また、以下の説明においては、本発明の画像形成装置の一実施形態として複写機を挙げて説明する。
【００１５】
（第１実施形態）
図１は、本実施形態の複写機の機能構成を示すブロック図である。また、図２は、本実施形態の複写機の概略構成を示す断面図である。
図１に示すように、複写機Ｓ１は、表示操作部１、画像読取部２、画像記憶部３、画像処理部４、印刷部５、給紙部６、レジストローラ７及び制御部８を備えている。
【００１６】
表示操作部１は、ユーザと複写機Ｓ１とを関係付けるマンマシンインタフェースとして装置の前面に設置される（図２においては不図示）ものであり、タッチパネル１ａ及び操作キー１ｂを備えている。
タッチパネル１ａは、表示面に抵抗膜方式等の透明な面状押圧センサを設けた表示パネルであり、ユーザに提供する情報の表示を行うと共に、ユーザの操作に基づく操作信号を出力する。
操作キー１ｂは、例えば電源ボタンやコピー開始ボタン等の、タッチパネル１ａに表示される操作ボタン以外の操作キー（ハードウェアキー）であり、ユーザの操作に基づく操作信号を出力する。
【００１７】
画像読取部２は、制御部８から入力される制御指令に基づいて、ＡＤＦ（Auto Document Feeder）によって自動給紙される原稿あるいはプラテンガラス上に載置された原稿の画像をラインセンサで読み取って原稿画像データに変換するものであり、この原稿画像データを出力するものである。
【００１８】
図１に戻り、画像記憶部３は、半導体メモリあるいはハードディスク装置等であり、制御部８から入力される制御指令に基づいて、画像読取部２から入力される上記原稿画像データを記憶すると共に当該原稿画像データを読み出して出力する。
【００１９】
画像処理部４は、制御部８から入力される制御指令に基づいて、画像記憶部３から入力される原稿画像データを印刷形式の画像データに変換して出力するものであり、必要に応じて原稿画像データに各種画像処理を施して印刷形式の画像データに変換する。
【００２０】
印刷部５は、制御部８から入力される制御指令に基づいて用紙カセット１００あるいは給紙トレー２００（図２参照）から給紙される記録用紙に印刷（画像形成）を行うものであり、印刷が行われた記録用紙を排紙トレー３００に排出する。
この印刷部５は、図２に示すように、感光体ドラム（感光体）１０、帯電器２０、レーザスキャニングユニット３０、現像装置４０、クリーニングユニット５０及び定着器７０を備えている。
【００２１】
感光体ドラム１０は、円柱に形状設定されると共に図２の紙面奥行き方向に延在して配置されており、その周面に静電潜像及び該静電潜像に基づくトナー像が形成されるものである。
帯電器２０は、感光体ドラム１０に対して対向配置されており、感光体ドラム１０の周面を帯電状態とするものである。
レーザスキャニングユニット３０は、感光体ドラム１０の上方に配置されており、印刷形式の画像データに基づいて射出されるレーザ光を感光体ドラム１０の周面において走査するものである。
そして、帯電器２０によって感光体ドラム１０の周面が帯電され、レーザスキャニングユニット３０によって帯電された感光体ドラム１０の周面にレーザ光が走査されることで、感光体ドラム１０の周面に、印刷形式の画像データに基づく静電潜像が形成される。
【００２２】
現像装置４０は、感光体ドラム１０の周面に対してトナーを供給することによって感光体ドラム１０の周面上に静電潜像に基づく画像を現像するものであり、感光体ドラム１０に対向配置される。
現像装置４０は、感光体ドラム１０にトナーを供給する現像器４１と、該現像器４１に補給するトナーを収容するコンテナ４２とが接続された構成を有する。
【００２３】
クリーニングユニット５０は、感光体ドラム１０から記録用紙にトナー像が転写された後に、感光体ドラム１０に残存するトナーを除去するものであり、感光体ドラム１０に対向配置される。
定着器７０は、熱及び圧力を加えることによって、トナーを記録用紙に対して定着させるものであり、記録用紙の搬送経路であって、現像装置４０の後流側に配置されている。
【００２４】
そして、このように構成された印刷部５においては、帯電器２０によって感光体ドラム１０の表面が帯電され、この帯電された感光体ドラム１０に対してレーザスキャニングユニット３０にてレーザ光を照射することによって感光体ドラム１０に静電潜像を形成する。その後、当該静電潜像を現像装置４０によって現像し、現像されたトナー像を記録用紙に転写した後、定着器７０にてトナーを記録用紙に定着させることによって印刷が行われる。  
【００２５】
給紙部６は、用紙カセット１００に収容された記録用紙束Ｘから一枚の記録用紙をピックアップして印刷部５に供給するものである。
図３は、給紙部６の拡大図である。この図に示すように、給紙部６は、ピックアップローラ６ａと、フィードローラ６ｂと、リタードローラ６ｃと、揺動アーム６ｄと、圧縮バネ６ｅ（姿勢設定手段）とを備えている。
【００２６】
ピックアップローラ６ａは、記録用紙束Ｘの最上部と接触されており、不図示のモータによって回転されることにより記録用紙束Ｘの最上部の記録用紙Ｙ（図４参照）をピックアップするものである。
【００２７】
フィードローラ６ｂは、ピックアップローラ６ａの下流側に配置されており、記録用紙の搬送方向に応じた方向に不図示のモータによって回転されることによって、記録用紙Ｙを搬送するものである。
リタードローラ６ｃは、ピックアップローラ６ａの下流側でありフィードローラ６ｂの下方に配置されており、記録用紙の搬送方向と反対方向に不図示のモータによって回転されることによって、ピックアップローラ６ａによってピックアップされた記録用紙が複数枚であった場合に記録用紙を分離するものである。
そして、フィードローラ６ｂとリタードローラ６ｃとに狭持されることによって記録用紙に対して負荷が加わり、これによって記録用紙が分離されかつ一枚の記録用紙のみが下流側に搬送される。
【００２８】
揺動アーム６ｄは、一端部にピックアップローラ６ａが設置され、他端部にフィードローラ６ｂが設置された板状の部材であり、ピックアップローラ６ａを中心として揺動可能とされている。
【００２９】
圧縮バネ６ｅは、後述するレジストローラ７にて記録用紙を搬送する場合に、図４に示すように、フィードローラ６ｂとリタードローラ６ｃとが離間するように揺動アーム６ｄを姿勢設定し、レジストローラ７にて記録用紙が搬送されていない場合に、フィードローラ６ｂとリタードローラ６ｃとが近接するように揺動アーム６ｄを姿勢設定するものである。
より詳細には、圧縮バネ６ｅは、記録用紙がレジストローラ７にて搬送されていない場合にフィードローラ６ｂとリタードローラ６ｃとが近接するように揺動アーム６ｄを付勢すると共に、記録用紙がレジストローラ７にて搬送されている場合に記憶用紙に作用するテンションにより縮むことにより揺動アーム６ｄを姿勢設定する。
なお、本実施形態の複写機Ｓ１においては、用紙カセット１００から排紙トレー３００までの記録用紙の搬送経路がＳ字状とされている。そして、レジストローラ７は、フィードローラ６ｂよりも上方に設置されており、レジストローラ７によって記録用紙を搬送する場合には、記録用紙が上方から引っ張られることとなり、記録用紙に対して上方に向くテンションが作用することとなる。そして、圧縮バネ６ｅは、記録用紙に対して上方に作用するテンションによる力を受けて縮む。
【００３０】
なお、本実施形態において、フィードローラ６ｂとリタードローラ６ｃとが近接するとは、フィードローラ６ｂとリタードローラ６ｃとによって記録用紙が狭持できる状態を示し、フィードローラ６ｂとリタードローラ６ｃとが近接するとは、フィードローラ６ｂとリタードローラ６ｃとによって記録用紙が狭持できない状態を示している。
【００３１】
図２に戻り、レジストローラ７は、給紙部６の下流側に配置されるものであり、搬送されてくる記録用紙の姿勢補正を行うと共にさらに下流側への記録用紙の搬送を行うものである。
【００３２】
図１に戻り、制御部８は、本実施形態の複写機Ｓ１の全体の制御を行うものであり、表示操作部１、画像読取部２、画像記憶部３、画像処理部４、印刷部５、給紙部６及びレジストローラ７と電気的に接続されている。
【００３３】
以上のような構成を有する本実施形態の複写機Ｓ１においては、制御部８の制御の下、ユーザの表示操作部１の操作に基づいて、画像読取部２にセットされた原稿の画像データが読み込まれ、読み込まれた画像データが画像記憶部３に記憶される。画像記憶部３に記憶された画像データは、画像処理部４において印刷形式の画像データに変換され印刷部５に入力する。そして、印刷部５では、画像処理部４から入力された印刷形式の画像データに基づいて印刷用紙への画像形成が行われる。その後、画像が形成された印刷用紙が印刷物として複写機Ｓ１の外部に排出される。
【００３４】
そして、本実施形態の複写機Ｓ１においては、給紙部６からレジストローラ７を介して印刷部５に記録用紙を搬送する場合には、レジストローラ７にて記録用紙が搬送されていない状態であるため、揺動アーム６ｄが圧縮バネ６ｅにより付勢されることによって、フィードローラ６ｂとリタードローラ６ｃとが近接された状態とされている。そして、当該状態にて不図示のモータによりピックアップローラ６ａが記録用紙の搬送方向に応じて回転される。この結果、記録用紙束Ｘの最上部の記録用紙がピックアップされて記録用紙の先端がフィードローラ６ｂ及びリタードローラ６ｃに搬送される。
ここで、ピックアップローラ６ａにてピックアップされた記録用紙が複数枚であった場合には、リタードローラ６ｃによって分離され、一枚の記録用紙のみがフィードローラ６ｂの回転によって下流側に搬送される。
フィードローラ６ｂ及びリタードローラ６ｃに搬送された記録用紙は、フィードローラ６ｂとリタードローラ６ｃとによって狭持されてレジストローラ７に供給される。
【００３５】
そして、記録用紙は、レジストローラ７にて姿勢を補正された後、レジストローラ７にて狭持されて搬送される。この際、記録用紙全体には、記録用紙の先端がレジストローラ７に狭持されて搬送されることによって、上方に向けたテンションが作用する。この結果、フィードローラ６ｂに対して上方に向けた力が作用し、揺動アーム６ｄを付勢する圧縮バネ６ｅが圧縮され、これによってフィードローラ６ｂとリタードローラ６ｃとが離間される。
【００３６】
その後、レジストローラ７にて搬送される記録用紙は、印刷部５に供給されて画像が形成される。
【００３７】
以上のような本実施形態の複写機Ｓ１によれば、一端部にピックアップローラ６ａが設置され、他端部にフィードローラ６ｂが設置されると共にピックアップローラ６ａを中心として揺動可能とされた揺動アーム６ｄを備えている。そして、圧縮バネ６ｅにより、フィードローラ６ｂの下流側に配置されるレジストローラ７にて記録用紙Ｙを搬送する場合に、フィードローラ６ｂとリタードローラ６ｃとが離間するように揺動アーム６ｄが姿勢設定され、レジストローラ７にて記録用紙Ｙが搬送されていない場合に、フィードローラ６ｂとリタードローラ６ｃとが近接するように揺動アーム６ｄが姿勢設定される。
つまり、フィードローラ６ｂの下流側に配置されるレジストローラ７にて記録用紙Ｙを搬送する場合には、ピックアップローラ６ａが記録用紙束Ｘと接触された状態を維持しながらフィードローラ６ｂとリタードローラ６ｃとが離間される。また、レジストローラ７にて記録用紙Ｙが搬送されていない場合には、ピックアップローラ６ａが記録用紙Ｙと接触された状態を維持しながらフィードローラ６ｂとリタードローラ６ｃとが近接される。
【００３８】
このような本実施形態の複写機Ｓ１によれば、フィードローラ６ｂの下流側に配置されるレジストローラ７にて記録用紙Ｙを搬送する場合には、ピックアップされた記録用紙Ｙに対する負荷を低減させることができると共に記録用紙束Ｘを抑えて複数の記録用紙Ｙが下流側に搬送されることを防止することができる。また、レジストローラ７にて記録用紙Ｙを搬送していない場合には、フィードローラ６ｂとリタードローラ６ｃとによって記録用紙Ｙを挟持することによって記録用紙Ｙを搬送することができる。
そして、本実施形態の複写機Ｓ１においては、ピックアップローラ６ａを中心として揺動アーム６ｄが揺動するため、レジストローラ７にて記録用紙Ｙを搬送している場合、レジストローラ７にて記録用紙を搬送していない場合の両方において、ピックアップローラ６ａが記録用紙束Ｘと接触した状態が保たれる。つまり、従来のように、フィードローラ６ｂとリタードローラ６ｃとを離間させるためにピックアップローラ６ａを記録用紙束Ｘに接触させる必要がなくなる。よって、揺動アーム６ｄの揺動回数を低減させることができる。
【００３９】
このように本実施形態の複写機Ｓ１によれば、フィードローラ６ｂの下流側に配置されるレジストローラ７にて記録用紙Ｙが狭持されて搬送されている際にフィードローラ６ｂとリタードローラ６ｃとを離間させることができると共に揺動アーム６ｄの揺動回数を低減させることが可能となる。したがって、装置の寿命を向上させることが可能となる。
【００４０】
また、本実施形態の複写機Ｓ１においては、記録用紙Ｙに作用するテンションにより縮む圧縮バネ６ｅによって揺動アーム６ｄの姿勢設定を行っている。
したがって、制御部８にて制御を行うことなく揺動アーム６ｄの姿勢を設定することができ、制御が複雑化することを防止することができる。
【００４１】
（第２実施形態）
次に、本発明の第２実施形態について説明する。なお、本第２実施形態の説明において、上記第１実施形態と同様の部分については、その説明を省略あるいは簡略化させる。
【００４２】
図５は、本実施形態の複写機が備える給紙部６の拡大図である。この図に示すように、本実施形態の複写機においては、給紙部６は、圧縮バネ６ｅに換えて電気シリンダ６ｆ（アクチュエータ）を備えている。
電気シリンダ６ｆは、制御部８と電気的に接続されており、制御部８の指示の下、揺動アーム６ｄを、フィードローラ６ｂとリタードローラ６ｃとが近接する姿勢と、フィードローラ６ｂとリタードローラ６ｃとが離間する姿勢とに移動させるものである。
【００４３】
このような構成を有する本実施形態の複写機によれば、電気シリンダ６ｆにより、フィードローラ６ｂの下流側に配置されるレジストローラ７にて記録用紙Ｙを搬送する場合に、フィードローラ６ｂとリタードローラ６ｃとが離間するように揺動アーム６ｄが姿勢設定され、レジストローラ７にて記録用紙Ｙが搬送されていない場合に、フィードローラ６ｂとリタードローラ６ｃとが近接するように揺動アーム６ｄが姿勢設定される。
したがって、本実施形態の複写機によれば、上記第１実施形態の複写機と同様に、フィードローラ６ｂの下流側に配置されるレジストローラ７にて記録用紙Ｙが狭持されて搬送されている際にフィードローラ６ｂとリタードローラ６ｃとを離間させることができると共に揺動アーム６ｄの揺動回数を低減させることが可能となる。
【００４４】
また、本実施形態の複写機によれば、電気シリンダ６ｆによって揺動アーム６ｄを移動（揺動）させるため、圧縮バネ６ｅを用いた場合と比較して、フィードローラ６ｂとリタードローラ６ｃとが離間するように揺動アーム６ｄを姿勢設定した場合に、当該姿勢を安定して維持させることができる。
したがって、フィードローラ６ｂとリタードローラ６ｃとが離間するように揺動アーム６ｄを姿勢設定した場合にフィードローラ６ｂを回転自由とすることによって、フィードローラ６ｂを案内ローラとして用いることができる。
【００４５】
以上、本発明の実施形態について図面を参照して詳説したが、具体的な構成は、上記実施形態に限定されるものではなく、本発明の要旨を逸脱しない範囲において設計変更等が可能である。
【００４６】
例えば、上記実施形態においては、本発明の画像形成装置の一例として複写機を挙げて説明した。
しかしながら、画像形成装置がファクシミリや複合機等であっても良い。  
【００４７】
また、本発明の画像形成装置は、色ごとの感光体ドラムを備えるいわゆるタンデム方式の複写機や、円筒形に配列された４つ現像装置を用いて単一の感光体ドラムに対して現像を行ういわゆる４サイクル方式の複写機に適用することもできる。
【００４８】
また、本発明の画像形成装置は、感光体ドラムに現像されたトナー像を一端中間転写体に転写し、当該中間転写体から記録用紙にトナー像を転写する複写機に適用することもできる。
【００４９】
また、上記第２実施形態においては、揺動アーム６ｄを移動させるアクチュエータとして電気シリンダを用いる構成について説明した。
しかしながら、本発明はこれに限定されるものではなく、揺動アーム６ｄを移動できるアクチュエータ全てを電気シリンダの換わりに用いることができる。
【図面の簡単な説明】
【００５０】
【図１】本発明の第１実施形態における複写機の機能構成を示すブロック図である。
【図２】本発明の第１実施形態における複写機の概略構成を示す断面図である。
【図３】本発明の第１実施形態における複写機が備える給紙部の拡大図である。
【図４】本発明の第１実施形態における複写機が備える給紙部の動作を説明するための図である。
【図５】本発明の第２実施形態における複写機が備える給紙部の拡大図である。
【図６】本発明の第２実施形態における複写機が備える給紙部の動作を説明するための図である。
【符号の説明】
【００５１】
Ｓ１……複写機（画像形成装置）、６……給紙部、６ａ……ピックアップローラ、６ｂ……フィードローラ、６ｃ……リタードローラ、６ｄ……揺動アーム、６ｅ……圧縮バネ（姿勢設定手段）、６ｆ……電気シリンダ（アクチュエータ、姿勢設定手段）
【図１】
2009173384.tif 000003
【図２】
2009173384.tif 000004
【図３】
2009173384.tif 000005
【図４】
2009173384.tif 000006
【図５】
2009173384.tif 000007
【図６】
2009173384.tif 000008